(57)【特許請求の範囲】
【請求項１】
２つの吊りワイヤを同時にクレーンフックに玉掛けする際に用いる玉掛け用吊り治具であって、
床面上に立てられた２本の平行な支柱を有し、
これら２本の平行な支柱には、前方に互いに平行に突出するアーム部がそれぞれ取り付けられ、
前記２本の平行な支柱の間および前記各アーム部の間に、クレーンフックを通過させる通過空間を形成し、
前記アーム部の上面を、先にクレーンフックに玉掛けされる第一の吊りワイヤの先端のリングを支持する第一の支持部とし、
前記支柱の前面を、後からクレーンフックに玉掛けされる第二の吊りワイヤの先端のリングを支持する第二の支持部とした、玉掛け用吊り治具。
【請求項２】
前記第一の支持部に支持されたリングの上端は、前記第二の支持部に支持されたリングの上端よりも下方に位置する、請求項１に記載の玉掛け用吊り治具。
【請求項３】
前記第一の支持部には、前記第一の吊りワイヤの先端のリングの幅方向位置をガイドするガイド板が設けられている、請求項１または２に記載の玉掛け用吊り治具。
【請求項４】
前記ガイド板は、前記各アーム部にそれぞれ取り付けられ、下方から上方に向けて、前記ガイド板同士の間隔が広がる、請求項３に記載の玉掛け用吊り治具。
【請求項５】
前記ガイド板に、前記第一の支持部に支持されたリングの前記支柱側への位置ずれを防ぐ押さえ部材が設けられている、請求項３または４に記載の玉掛け用吊り治具。
【請求項６】
前記第二の支持部には、前記第二の吊りワイヤの先端のリングのねじれを防ぐ押さえ部材が設けられている、請求項１〜５のいずれか一項に記載の玉掛け用吊り治具。
【請求項７】
前記２つの吊りワイヤは、スパイラル鋼管の成形スタンドを搬送するものである、請求項１〜６のいずれか一項に記載の玉掛け用吊り治具。
【請求項８】
前記第一の吊りワイヤの先端のリングは弾性を有しない硬質材料からなり、前記第二の吊りワイヤの先端のリングは弾性を有する、請求項１〜７のいずれか一項に記載の玉掛け用吊り治具。
【発明の詳細な説明】
【技術分野】
【０００１】
本発明は、玉掛け用吊り治具に関するものであり、２つの吊りワイヤを用いる玉掛け作業時に、作業者が接触することなくクレーンフックの着脱を円滑に行うことができる玉掛け用吊り治具に関するものである。
【背景技術】
【０００２】
鉄鋼製品等の製造を行う現場では、重量物の搬送が行われている。搬送される重量物としては、鉄鋼製品だけでなく、例えばスパイラル鋼管の成形スタンドなどの製造機器も含まれる。このような重量物をクレーンで搬送する際、重量物の形状が単純であれば１点吊りが採用されるが、複雑な形状のものは多点吊りで吊り上げることになる。多点吊りの玉掛け作業は、重量物の重心出しなど手間のかかる作業となる。
【０００３】
特許文献１には、危険な玉掛け作業を要することなくフックに簡単に掛け止める工事用敷鉄板が開示されているが、玉掛け用吊り治具の構成は開示されていない。
【０００４】
また、例えば特許文献２や特許文献３には、２つの吊りワイヤを用いて吊り荷を運搬する際の玉掛け用吊り治具が開示されている。特許文献２は、フックを運搬物に引掛けると、バネまたはゴムが引っ張られて伸びるためにフックが運搬物から外れることなく運搬物が持ち上がるものである。また、特許文献３は、吊りフレームに過大な応力が作用するのを抑制し、吊りフレームの軽量化を図るものである。
【先行技術文献】
【特許文献】
【０００５】
【特許文献１】特開平１０−２４５８０５号公報
【特許文献２】特開平７−２１５６５６号公報
【特許文献３】特開２０１４−７３９０８号公報
【発明の概要】
【発明が解決しようとする課題】
【０００６】
しかしながら、上記特許文献２、３による玉掛け作業では、吊りワイヤをクレーンフックに取り付ける際は、手作業で行う必要がある。
【０００７】
搬送物が重量物である場合、それを搬送するための吊り具もまた重量物である。例えばスパイラル鋼管の成形スタンドを造管工程へと搬送する際、搬送用の吊具として、成形スタンドの構造に合わせて吊具を２つ使用することがあるが、この吊りワイヤのリングやクレーンフックは、それぞれの重量が例えば２０ｋｇ以上であり、これらを持ち上げて手作業で玉掛けするのは、極めて重労働である。
【０００８】
本発明は以上のような問題点に鑑みてなされたものであり、多点吊りの玉掛け作業時に、作業者が吊りワイヤに直接触れることなく、吊りワイヤへのクレーンフックの着脱を円滑に行うことができる玉掛け用吊り治具を提供することを目的とする。
【課題を解決するための手段】
【０００９】
上記問題を解決するため、本発明は、２つの吊りワイヤを同時にクレーンフックに玉掛けする際に用いる玉掛け用吊り治具であって、床面上に立てられた２本の平行な支柱を有し、これら２本の平行な支柱には、前方に互いに平行に突出するアーム部がそれぞれ取り付けられ、前記２本の平行な支柱の間および前記各アーム部の間に、クレーンフックを通過させる通過空間を形成し、前記アーム部の上面を、先にクレーンフックに玉掛けされる第一の吊りワイヤの先端のリングを支持する第一の支持部とし、前記支柱の前面を、後からクレーンフックに玉掛けされる第二の吊りワイヤの先端のリングを支持する第二の支持部とした、玉掛け用吊り治具を提供する。
【００１０】
上記玉掛け用吊り治具において、前記第一の支持部に支持されたリングの上端は、前記第二の支持部に支持されたリングの上端よりも下方に位置することが好ましい。
【００１１】
また、前記第一の支持部には、前記第一の吊りワイヤの先端のリングの幅方向位置をガイドするガイド板が設けられていてもよい。その場合、前記ガイド板は、前記各アーム部にそれぞれ取り付けられ、下方から上方に向けて、前記ガイド板同士の間隔が広がるようにしてもよい。さらに、前記ガイド板に、前記第一の支持部に支持されたリングの前記支柱側への位置ずれを防ぐ押さえ部材が設けられていてもよい。
【００１２】
また、前記第二の支持部には、前記第二の吊りワイヤの先端のリングのねじれを防ぐ押さえ部材が設けられていてもよい。
【００１３】
前記２つの吊りワイヤは、スパイラル鋼管の成形スタンドを搬送するものであってもよい。また、前記第一の吊りワイヤの先端のリングは弾性を有しない硬質材料からなり、前記第二の吊りワイヤの先端のリングは弾性を有してもよい。
【発明の効果】
【００１４】
本発明によれば、重量物等の玉掛け作業において、２つの吊りワイヤに直接触れることなく、吊りワイヤへのクレーンフックの着脱を円滑に行うことができ、玉掛け作業員の負担を大幅に軽減することができる。
【図面の簡単な説明】
【００１５】
【図１】本発明の実施形態にかかる玉掛け用吊り治具の例を示す斜視図である。
【図２】図１に示す玉掛け用吊り治具の第一の支持部に第一リングが保持された状態を上から見た図である。
【図３】図１に示す玉掛け用吊り治具の第二の支持部に第二リングが保持された状態を正面から見た図である。
【図４】図１に示す玉掛け用吊り治具を用いた玉掛け作業の最初の工程を示す斜視図である。
【図５】図４に続く工程を示す斜視図である。
【図６】図５に続く工程を示す斜視図である。
【発明を実施するための形態】
【００１６】
以下、本発明の実施の形態を、図を参照して説明する。
【００１７】
図１は、本発明の実施形態にかかる玉掛け用吊り治具１の一例であり、例えばスパイラル鋼管の成形スタンドを搬送する際の玉掛け作業時に使用される。
【００１８】
玉掛け用吊り治具１は、床面上に略鉛直方向に立てられた２本の平行な支柱１１、１１と、これらの支柱１１、１１にそれぞれ取り付けられたアーム部１２、１２を有する。アーム部１２、１２は、例えば溶接等により支柱１１、１１に接合され、支柱１１、１１から前方に突出し、かつ互いに平行である。２本の支柱１１、１１の間、および各アーム部１２、１２の間には、クレーンフックが自由に通過可能な空間１０が形成されている。支柱１１、１１間の距離は、使用するクレーンフックのサイズに応じて設定されるが、安定してクレーンフックが通過できるようにするためには、例えばクレーンフックの最大幅の１．２倍以上とすることが好ましい。支柱１１、１１は、例えば床面にアンカ等で固定されたプレートに接合され、転倒等を防止するように設置される。支柱１１やアーム部１２の材質およびサイズは、重量物用の吊りワイヤやクレーンフックに対して十分な機械的強度を有するように決定される。なお、本明細書において、支柱１１に対してアーム部１２が取り付けられている方を前方、水平方向において前後方向と直交する方向を幅方向と称する。
【００１９】
アーム部１２は、図１に示すように側面形状が略Ｖ字状であり、アーム部１２の上面が、先にクレーンフックに玉掛けされる第一の吊りワイヤ２１の先端のリング（以下、第一リング２３と称する）を支持する第一の支持部１３となる。また、支柱１１の前面すなわちアーム部１２が取り付けられている側の面が、後からクレーンフックに玉掛けされる第二の吊りワイヤ２２の先端のリング（以下、第二リング２４と称する）を支持する第二の支持部１４となる。クレーンフックを各リングに玉掛けして吊りあげる際には、クレーンフックを斜め上方向へ動かすことにより、２つのリングを順次、円滑に玉掛けすることができる。そのため、第一リング２３および第二リング２４が、それぞれ第一の支持部１３、第二の支持部１４に支持されたときに、第一リング２３の上端よりも第二リング２４の上端の位置を高くする必要がある。したがって、各リング２３、２４の寸法に応じてこの条件を満たすように、アーム部１２を取り付ける位置やアーム部１２の形状が決定される。
【００２０】
図２は、第一リング２３が第一の支持部１３に保持されている状態を上方から見た図である。図１および図２に示すように、第一の支持部１３には、ガイド板１５および第一リング押さえ部材１６が、各アーム部１２、１２にそれぞれ設けられている。ガイド板１５は、各アーム部１２、１２の幅方向外側付近に取り付けられ、第一リング２３の幅方向の位置ずれを抑制して所定範囲内に保持するとともに、第一リング２３をクレーンフックから外す際には、第一リング２３を第一の支持部１３に誘導する役割をする。左右のガイド板１５、１５同士の間隔は、クレーン運転者の技術に応じて適宜決めればよく、運転者の熟練度が高い場合には、第一リング２３の最大幅よりもわずかに大きければよい。ただし、第一リング２３をクレーンフックから外す際の操作を容易にするために、アーム部１２に固定されたガイド板１５の下端から上端に向けて、対向するガイド板１５同士の間隔が広がるようにすることが好ましい。第一リング押さえ部材１６は、各ガイド板１５の、対向する面の支柱１１寄りの位置に、突起状に設けられている。第一リング押さえ部材１６は、第一の吊りワイヤ２１の曲げモーメント等により支柱１１側に引っ張られる第一リング２３を、第一の支持部１３内に保持するために設けられる。
【００２１】
また、図３は、第二リング２４が第二の支持部１４に保持されている状態を正面から見た図である。図１および図３に示すように、第二の支持部１４には、２本の支柱１１、１１間に第二リング押さえ部材１７が設けられている。第二リング押さえ部材１７は、例えば支柱１１、１１間に水平方向に架設された横材からなる。第二リング押さえ部材１７は、第二リング２４が支柱１１の後方すなわちアーム部１２の反対側に不均一な力で押しつけられて第二リング２４がねじれたり第二の支持部１４から外れたりするのを防止するものである。
【００２２】
以下、本発明の実施形態にかかる玉掛け用吊り治具１を用いたクレーン玉掛け作業の手順を説明する。
【００２３】
図４〜図６は、上述の玉掛け用吊り治具１を用いて、２つの吊りワイヤをクレーンフックに取り付ける状態を示す。
【００２４】
先ず、図４に示すように、２つの吊りワイヤ２１、２２の各リング（第一リング２３および第二リング２４）を、玉掛け用吊り治具１の第一の支持部１３および第二の支持部１４にそれぞれセットする。本実施形態においては、第一リング２３は、例えば２本のワイヤからなる吊りワイヤ２１が接続された鉄製等の硬質材料からなるリングであり、第二リング２４は、例えば弾性を有するワイヤ製のリングである。また、第一リング２３および第二リング２４の最大幅は、玉掛け用吊り治具１の支柱１１、１１同士の間隔よりも僅かに大きい。第一リング２３はアーム部１２の先端側に載置され、ガイド板１５によって幅方向の位置ずれを防ぎ、第一リング押さえ部材１６によって前後方向の位置ずれを防いで、第一の支持部１３の所定位置に支持されている。また、第二リング２４は支柱１１、１１およびアーム部１２、１２の基端側に囲まれ、第二リング押さえ部材１７によってねじれたり支柱１１の後方に外れたりするのを防いで、第二の支持部１４に支持されている。そして、第二リング２４の上端は、第一リング２３の上端よりも高い位置に支持されている。
【００２５】
この状態でクレーンを操縦し、図４に示すように、クレーンフック３１を、玉掛け用吊り治具１の前方の、先に玉掛けされる第一リング２３の斜め下方に配置させる。そして、クレーンフック３１を斜め上方に移動し、第一リング２３を掛ける（図５）。クレーンフック３１が第一リング２３を掛けた状態でさらに斜め上方に移動することで、第一の支持部１３に載置されていた第一リング２３の向きが起こされ、第二リング２４と略平行になる。続いて、後で玉掛けされる第二リング２４を掛ける（図６）。その後、二本の吊りワイヤ２１、２２によって成形スタンド等の運搬物が吊り上げられ、運搬される。
【００２６】
第一リング２３および第二リング２４をクレーンフック３１から外す際には、クレーンを操作してクレーンフック３１を玉掛け用吊り治具１の上方に配置させ、クレーンフック３１を、取り付け時とは逆の斜め下方に移動させることにより、第二リング２４および第一リング２３が順次、元の位置に保持される。したがって、それぞれの吊りワイヤ２１、２２に次の運搬物を取り付ければ、そのまま次の玉掛け作業を行うことができる。このようにして、吊り上げ時には円滑に２つのリングをクレーンフック３１に掛け、取り外す際には２つのリングを所定の位置に戻すことができる。
【００２７】
以上のように、本発明によれば、重量物または長尺物等の玉掛け作業において、作業者が直接吊りワイヤやクレーンフックに触れることなく、クレーン操作のみによって、２つの吊りワイヤを同時にクレーンフックに着脱することができる。したがって、玉掛け作業者の労力を大幅に低減するとともに、少ない人数で作業を行うことができる。
【００２８】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【産業上の利用可能性】
【００２９】
本発明は、鉄鋼関連の重量物のみならず、あらゆる重量物や長尺物を２つの吊りワイヤで吊り上げる際の玉掛け用吊り治具として適用できる。
【符号の説明】
【００３０】
１    玉掛け用吊り治具
１０  空間
１１  支柱
１２  アーム部
１３  第一の支持部
１４  第二の支持部
１５  ガイド板
１６  第一リング押さえ部材
１７  第二リング押さえ部材
２１  第一の吊りワイヤ
２２  第二の吊りワイヤ
２３  第一リング
２４  第二リング
３１  クレーンフック
【図１】
0006565647.tif 000002
【図２】
0006565647.tif 000003
【図３】
0006565647.tif 000004
【図４】
0006565647.tif 000005
【図５】
0006565647.tif 000006
【図６】
0006565647.tif 000007